【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
デジタルコンテンツに応答してフィンガープリンティング情報を埋め込み可能な、１組の位置を有する、透かしを入れたデジタルコンテンツを生成するステップと、
少なくとも１つのオリジンの点と、前記オリジンとエンドビューアとの間に配置された、少なくとも１つの中間装置とを含むマルチソースシステムを用いて、前記デジタルコンテンツを配布するステップと、
提示に対する情報を前記エンドビューアに送る際に、前記デジタルコンテンツを各中間装置で部分的にフィンガープリントし、これにより、部分的にフィンガープリントされたデジタルコンテンツが、各中間装置で生成され、前記デジタルコンテンツが中間装置とその中間装置からの部分的にフィンガープリントされたデジタルコンテンツの受取人とを識別する情報を含む、ステップと
を含む方法。
【請求項２】
前記デジタルコンテンツが、メディアストリームの表現を含んでいる、請求項１に記載の方法。
【請求項３】
前記多数のソースが、層状ストラクチャー内に配置されている、請求項１に記載の方法。
【請求項４】
各ソースでのフィンガープリンティングの量が、キャッシュされたストラクチャー、あるいは層状ストラクチャー内のそのソースの位置に対応している、請求項１に記載の方法。
【請求項５】
前記配布ステップおよび部分的フィンガープリンティングステップが、
第１キーで前記デジタルコンテンツを復号化し、それにより、復号化されたデジタルコンテンツが生成されるステップと、
送信者を識別すると共に、受取人を識別するのに十分な一組の情報を伴う、前記復号化されたデジタルコンテンツを部分的にフィンガープリントし、それにより、一組のフィンガープリントされたデジタルコンテンツが生成されるステップと、
第２キーで、前記フィンガープリントされたデジタルコンテンツを暗号化するステップと
を含んでいる、請求項１に記載の方法。
【請求項６】
前記第１キーおよび前記第２キーが、キーサーバにより供給される、請求項５に記載の方法。
【請求項７】
各中間装置に対して、前記第１キーおよび前記第２キーが、第３キーで暗号化されたメッセージ内に供給される、請求項６に記載の方法。
【請求項８】
各中間装置に対する第３キーが、中間装置の機密保護部分に収納される、請求項７に記載の方法。
【請求項９】
前記第１キーが、前記第２キーと異なっている、請求項５に記載の方法。
【請求項１０】
前記配布ステップおよび部分的フィンガープリンティングステップが、
第１キーで前記デジタルコンテンツを復号化し、それにより、復号化されたデジタルコンテンツが生成されるステップと、
前記デジタルコンテンツを配布する際において、送信者を識別し、トランザクションを識別するのに十分な一組のフィンガープリント情報を伴う、前記復号化されたデジタルコンテンツを部分的にフィンガープリントし、それにより、一組のフィンガープリントされたデジタルコンテンツが生成されるステップと、
第２キーで、前記フィンガープリントされたデジタルコンテンツを暗号化するステップと
を含んでいる、請求項１に記載の方法。
【請求項１１】
前記第１キーおよび前記第２キーが、キーサーバにより供給される、請求項１０に記載の方法。
【請求項１２】
各中間装置に対して、前記第１キーおよび前記第２キーが、第３キーで暗号化されたメッセージ内に供給される、請求項１０に記載の方法。
【請求項１３】
各中間装置に対する第３キーが、中間装置の機密保護部分に収納される、請求項１２に記載の方法。
【請求項１４】
前記第１キーが、前記第２キーと異なっている、請求項１０に記載の方法。
【請求項１５】
エンドビューアへの再生が、再生証明に対応している、請求項１０に記載の方法。
【請求項１６】
再生証明が、キーサーバにより発行される、請求項１５に記載の方法。
【請求項１７】
再生証明が再生証明キーで暗号化される、請求項１６に記載の方法。
【請求項１８】
再生証明キーが、エンドビューアにデジタルコンテンツを提示するために配置されたエンドビューア施設の機密保護部分に格納される、請求項１７に記載の方法。
【請求項１９】
キーサーバが、ビジネスルールに対応する再生証明を発行する、請求項１６に記載の方法。
【請求項２０】
ビジネスルールが、デジタルコンテンツおよびエンドビューアに対応する、請求項１９に記載の方法。
【請求項２１】
要求よりも前もって各中間装置で部分的にフィンガープリントされたデジタルコンテンツを維持するステップと、
一方の中間装置では利用できないデジタルコンテンツについての要求に応じて、他方の中間装置から、又は、オリジンの点からの前記デジタルコンテンツのコピーを要求するステップと
を含む、請求項１に記載の方法。
【請求項２２】
オリジンの点又は中間装置のそれぞれによって追加された一組のフィンガープリント情報は、そのオリジンの点及びエンドビューアの両方を識別するのに十分である、請求項１に記載の方法。
【請求項２３】
オリジンの点は最上層を占有し、中間装置は組織化されてより低層を占有し、エンドビューアは最下層を占有する、請求項３に記載の方法。
【請求項２４】
前記中間装置は、前記部分的にフィンガープリントされたデジタルコンテンツをキャッシュし、
前記デジタルコンテンツについてのエンドビューアの要求は、前記デジタルコンテンツのコピーを伴うソースが見つかるまで上層へと逐次送られ、
前記ソースによって、前記エンドビューアを識別する前記フィンガープリンティング情報を付加して前記デジタルコンテンツを部分的にフィンガープリントした後、前記デジタルコンテンツは、前記エンドビューアに送られる、請求項２３に記載の方法。
【請求項２５】
前記一組のフィンガープリンティング情報によって、前記エンドビューアへの前記デジタルコンテンツの送信の特定の事例を独自に識別する、請求項１に記載の方法。
【請求項２６】
各中間装置で一組のフィンガープリンティング情報を追加するための位置は、前記層状ストラクチャーにおけるその中間装置の位置に対応する、請求項３に記載の方法。
【請求項２７】
各中間装置で追加されるフィンガープリンティング情報の量は、前記層状ストラクチャーにおけるその中間装置の位置に対応する、請求項１に記載の方法。
【請求項２８】
各中間装置で追加されるフィンガープリンティング情報の量は、その中間装置からの前記デジタルコンテンツの可能な受取人の数に対応する、請求項１に記載の方法。
【請求項２９】
前記少なくとも一つの中間装置は、少なくとも一つのキャッシング権限を含み、
前記オリジンの点又は前記キャッシング権限は、部分的にフィンガープリントされたデジタルコンテンツの一以上のバージョンを格納しており、
前記フィンガープリンティング情報は前記エンドビューアについて唯一であり、
受け取られるデジタルコンテンツの要求に先立って前記フィンガープリンティング情報が追加される、請求項１に記載の方法。
【請求項３０】
デジタルコンテンツの様々な部分は、オリジンの点から様々な中間装置に配布され、それらの中間装置から同じエンドビュアへ配布される、請求項１に記載の方法。
【請求項３１】
中間装置は、そのコンテンツについての要求に応じて、又は、その要求に先だって、前記オリジンの点、又は、同じ層内又はその中間装置より上層の他方の中間装置から前記デジタルコンテンツのコピーを得る、請求項３に記載の方法。
【請求項３２】
デジタルコンテンツ用のオリジンの点とエンドビューアとの間に配置された中間装置において実行されるソフトウエアであって、前記ソフトウエアは、
情報を他方の中間装置又はエンドビューアに送る場合に、前記デジタルコンテンツを部分的にフィンガープリントするステップであって、前記部分的にフィンガープリントされたデジタルコンテンツは、そのデジタルコンテンツが受信されたノードを識別するのに十分な情報を含む、ステップと、
要求に先立って部分的にフィンガープリントされたデジタルコンテンツを維持するステップと、
一方の中間装置で利用できないデジタルコンテンツについての要求を受けた場合に、前記オリジンの点、又は、他方の中間装置からのデジタルコンテンツのコピーを要求するステップと
を含むソフトウエアを格納したコンピュータ読み取り可能な記録媒体。
【請求項３３】
デジタルコンテンツ用のオリジンの点とエンドビューアとの間に配置された中間装置において実行されるソフトウエアであって、前記ソフトウエアは、
情報を他方の中間装置又はエンドビューアに送る場合に、前記デジタルコンテンツを第１の鍵で復号化し、前記デジタルコンテンツに部分的にフィンガープリントし、前記部分的にフィンガープリントされたデジタルコンテンツは、そのデジタルコンテンツが受信されたノードを識別するのに十分な情報を含み、前記フィンガープリントされたデジタルコンテンツを第２の鍵で暗号化するステップと、
暗号化され、部分的なフィンガープリントされたデジタルコンテンツを要求に先立って維持するステップと、
一方の中間装置で利用できないデジタルコンテンツについての要求を受け取った場合に、オリジンの点、又は、他方の中間装置からその中間装置のコピーを要求するステップと
を含むソフトウエアを格納したコンピュータ読み取り可能な記録媒体。
【請求項３４】
一以上の中間ノードにおいて、部分的にフィンガープリントされたデジタルコンテンツを、そのデジタルコンテンツについての要求に先立って維持するステップと、
一方の中間ノードで利用できないデジタルコンテンツについての要求に応じて、他方のデバイスからそのデジタルコンテンツのコピーを要求するステップと
を含む、請求項１に記載の方法。